(57)【要約】【課題】  棒状塗布具の塗布体をねじ蓋を閉めることなく容器の底部に届かせ、蓋のねじ部に液状化粧料が流れ込むことのない、安価な構成にする。【解決手段】  口頸部２の外周面に雄ねじ３を設けた容器本体１と、周壁１１の内周面に前記雄ねじ３と螺合する雌ねじ１２を設けるとともに頂壁１３の中央にガイド孔１５を有する筒部１４が立設された蓋体１０と、フランジ部１の上面中央に前記ガイド孔１５に挿通する操作軸部２２を立設するとともに前記フランジ部２１の下面中央に先端に塗布体３０を設けた塗布軸部２３を垂設して成る棒状塗布具２０とを有し、前記蓋体１０の内側から前記操作軸部２２を前記ガイド孔１５に挿通して前記棒状塗布具２０を前記蓋体１０に上下動可能に且つ抜け出し不能に装着した。【選択図】      図１
2006167319.tif 000002
【特許請求の範囲】
【請求項１】
口頸部の外周面に雄ねじを設けた容器本体と、周壁の内周面に前記雄ねじと螺合する雌ねじを設けるとともに頂壁の中央にガイド孔を有する筒部が立設された蓋体と、フランジ部の上面中央に前記ガイド孔に挿通する操作軸部を立設するとともに前記フランジ部の下面中央に先端に塗布体を設けた塗布軸部を垂設して成る棒状塗布具とを有し、前記蓋体の内側から前記操作軸部を前記ガイド孔に挿通して前記棒状塗布具を前記蓋体に上下動可能に且つ抜け出し不能に装着して成ることを特徴とする液状化粧料容器。
【請求項２】
棒状塗布具のフランジの下面に容器本体の口頸部に内嵌する環状壁を設けたことを特徴とする請求項１記載の液状化粧料容器。
【請求項３】
蓋体のガイド孔下方に段部を形成するとともに棒状塗布具の操作軸部に前記段部に当接するストッパをフランジから所定距離をおいて設けたことを特徴とする請求項１又は請求項２記載の液状化粧料容器。
【発明の詳細な説明】
【技術分野】
【０００１】
本発明は、マニキュア、マスカラ、アイライナーのような液状化粧料を収納し、これを塗布するのに好適な液状化粧料容器に関する。
【背景技術】
【０００２】
マニキュア、マスカラ、アイライナーのような液状化粧料容器は、外出先で使用されることも多く、このため、携帯に便利なように小形にして、且つ簡便に化粧ができるようにねじ蓋に棒状塗布具を一体に固着したねじ蓋式の容器が多く使用されている。
【０００３】
例えば、特開２００３−２３０４２７号公報に開示されているように、マニキュア、マスカラ、アイライナーのような液状化粧料をねじ頸を有する小形の容器に収納し、ねじ蓋内から棒状塗布具を垂下突設して成り、使用時には、ねじ蓋を緩めて収納化粧料に浸漬されている棒状塗布具を容器から引き抜き、棒状塗布具先端の塗布体に付着した化粧料を塗布するようにした液状化粧料容器が従来より広く使用されている。
【０００４】
また、特表２００４−５１３６９３号公報には、上部キャップと下部キャップとから成るねじ蓋の内部に繰り出し機構を設け、上部キャップと下部キャップとを相互回転することにより棒状塗布具が昇降し、棒状塗布具の蓋の開口端からの突出長さを可変とした繰り出し機構付き液状化粧料容器も公知である。
【特許文献１】特開２００３−２３０４２７号公報
【特許文献２】特表２００４−５１３６９３号公報
【発明の開示】
【発明が解決しようとする課題】
【０００５】
しかしながら、上述した特開２００３−２３０４２７号公報に開示されたねじ蓋に棒状塗布具が固定されているこの種の従来容器は、容器内の液状化粧料の残量が少なくなると、棒状塗布具先端の塗布体に液状化粧料を補充する度に、ねじ蓋を締め直して塗布体を容器の底部に届かさなければ化粧料を塗布体に補充をすることができず、化粧料の取り出し操作が煩わしくなり不便であった。
【０００６】
また、この種の従来の容器は、液状化粧料を塗布する際に、棒状塗布具の先端を上方に傾けると、棒状塗布具に液状化粧料が伝わってねじ蓋の内部に流れ込み、液状化粧料が蓋のねじ部で固化してねじ蓋の閉まりが不完全になることがある。このため保管中に、容器内の化粧料を損なって無駄にしてしまうという問題もあった。
【０００７】
また、特表２００４−５１３６９３号公報に開示された蓋の繰り出し機構によって棒状塗布具の突出長さを可変とする周知の繰り出し機構を利用すれば、容器内の残り少ない液状化粧料の取り出し操作における不具合を解消することもできるが、蓋内に棒状塗布具を伸長する為の繰り出し機構を組込むことは、部品点数が増加するとともに蓋の組立工程が複雑化する。このため、価格的に不利になる欠点を有している。
【０００８】
本発明は、上記の問題に鑑みてなされたもので、棒状塗布具の塗布体をねじ蓋を閉めることなく容器の底部に届かせることができるとともに、蓋のねじ部に液状化粧料が流れ込むことのない、安価な構成の液状化粧料容器を提供することにある。
【課題を解決するための手段】
【０００９】
本発明は、口頸部の外周面に雄ねじを設けた容器本体と、周壁の内周面に前記雄ねじと螺合する雌ねじを設けるとともに頂壁の中央にガイド孔を有する筒部が立設された蓋体と、フランジ部の上面中央に前記ガイド孔に挿通する操作軸部を立設するとともに前記フランジ部の下面中央に先端に塗布体を設けた塗布軸部を垂設して成る棒状塗布具と、を有し、前記蓋体の内側から前記操作軸部を前記ガイド孔に挿通して前記棒状塗布具を前記蓋体に上下動可能に且つ抜け出し不能に装着して成ることを特徴としており、蓋体を外す際に、棒状塗布具の操作軸部の軸端を指先で押すことにより、棒状塗布具を蓋体の開口端側へ移動させ、棒状塗布具の塗布軸部を閉蓋時よりも蓋体から軸長に露出させることがでるようにした。
【００１０】
また、棒状塗布具のフランジの下面に容器本体の口頸部に内嵌する環状壁を設けて、閉蓋時における容器の液密性を向上させるとともに、化粧時に、塗布軸部を伝わって蓋体方向へ流れる液状化粧料を、フランジと環状壁とで構成される凹所で留め受けるようにした。
【００１１】
また、蓋体のガイド孔下方に段部を形成するとともに棒状塗布具の操作軸部に前記段部に当接するストッパをフランジ部から所定距離をおいて設けて、棒状塗布具の抜け落ちを防止するとともに、棒状塗布具の移動ストロークを規制することが好ましい。
【発明の効果】
【００１２】
本発明の液状化粧料容器によれば、蓋体を外す際に、棒状塗布具の操作軸部軸端を指先で押すことにより、棒状塗布具が蓋体の開口端側へ移動して、棒状塗布具の塗布軸部が閉蓋時よりも蓋体から軸長に露出するようにしたので、蓋体をねじ締めすることなく棒状塗布具の塗布体を容器底部に届かせて、残り少なくなった液状化粧料を何度も簡単に塗布体へ補充することができる。しかも、部品点数が少なく組立も簡単であるので安価に提供することが可能である。
【００１３】
また、棒状塗布具のフランジ下面に環状壁を設けることにより、化粧時に、塗布軸部を伝わって蓋体内に流れ込もうとする液状化粧料をフランジ部と環状壁で構成される凹所において留め受けるようにしたので、蓋体のねじ部に液状化粧料が入り込むことがなくなり、ねじ部における付着化粧料の固化に起因する蓋体の締め込み不足を防止することができる。したがって、容器内に残っている液状化粧料を乾燥、漏出、塵埃汚染等によって損なうことがない。
【発明を実施するための最良の形態】
【００１４】
以下、本発明の液状化粧料容器の好適な実施の形態を、図面を参照しながら詳細に説明する。
【００１５】
図１乃至図３は、本発明の液状化粧料容器がマニキュア容器である場合の例を示しており、図４は、本発明の液状化粧料容器がマスカラ容器である場合の例を示している。
【００１６】
図１乃至図３に示すように、この実施の形態の液状化粧料容器は、容器本体１と、この容器本体１の口頸部２を閉蓋する蓋体１０と、この蓋体１０の中心に上下動可能に且つ抜け出し不能に装着された棒状塗布具２０とから構成されている。
【００１７】
容器本体１は、合成樹脂やガラス材料を用いて成形されたボトルであり、その
口頸部２の外周面には雄ねじ３が設けられ、雄ねじ３の下方に蓋体１０のがたつきを防止するリング５が周設されている。
【００１８】
蓋体１０は、汎用合成樹脂を用いて成形されたねじ蓋であり、その周壁１１の内周面には容器本体１の雄ねじ３と螺合する雌ねじ１２が設けられている。また、その頂壁１３の中央には、筒部１４が立設され、この筒部１４には蓋体１０内外に貫通するガイド孔１５が穿設されており、ガイド孔１５の下端には上向きの段部１６が形成されている。
【００１９】
棒状塗布具２０は、汎用合成樹脂を用いて、容器本体１の口頸部２とほぼ同径に形成されたフランジ部２１と、フランジ部２１の上面中央に立設され蓋体１０のガイド孔１５に挿通する操作軸部２２と、フランジ部２１の下面中央に垂設された塗布軸部２３とが一体形成して成り、塗布軸部２３の先端には容器本体１の底部４近傍に位置する筆状の塗布体３０が植設されている。
【００２０】
また、棒状塗布具２０におけるフランジ部２１の下面には、容器本体１の口頸部２内に液密に内嵌する環状壁２１が設けてあり、この環状壁２１の外側に沿って口頸部２の上面に当接する環状リブ２１ｂが設けられている。
【００２１】
また、棒状塗布具２０における操作軸部２２の、フランジ部２１から所定距離の位置には、棒状塗布具２０が下方移動した時にガイド孔１５の段部１６へ当接するストッパ２２ａが突設されており、棒状塗布具２０の抜け落ちを防止している。また、図２に示すように、閉蓋時における棒状塗布具２０のストッパ２２ａとガイド孔１５の段部１６との距離が棒状塗布具２０の移動ストロークＡとなっており、移動ストロークＡは蓋体１０を緩めた時のネジの開放ストロークＢよりも大きく設定されている。
【００２２】
この棒状塗布具２０は、その操作軸部２２を蓋体１０の内側からガイド孔１５に挿通することにより蓋体１０に組み付けられ、蓋体１０に上下動可能に且つ抜け出し不能に装着されている。
【００２３】
以上説明した本実施の形態の液状化粧料容器は、閉蓋時には、棒状塗布具２０の塗布体３０が容器本体１の底部４近傍に位置し、容器本体１の口頸部２にフランジ部２１の環状壁２１ａが内嵌するとともに口頸部２の上面に環状リブ２１ｂが当接し、蓋体１０のネジ締めによりフランジ部２１が口頸部２の上面に押し付けられ、容器は液密に保持される。
【００２４】
化粧の際には、取り外した蓋体１０又は棒状塗布具２０の操作軸部２２を把持して塗布操作を行う。そして、充填された液状化粧料が残り少なくなって塗布体３０への液補充をする操作が困難になったときは、蓋体１０を外しながら又は蓋体１０を外した後に、図３に示すように、操作軸部２２の軸端を指先で押して、棒状塗布具２０を蓋体１０の開口端側へ移動させる。
【００２５】
この操作により、操作軸部２２がガイド孔１５を摺動下降し、操作軸部２２のストッパ２２ａがガイド孔の段部１６へ当接することにより、塗布軸部２２が閉蓋時の位置よりも蓋体１０の開口端から移動ストロークＡの寸法だけ長軸に露出する。
【００２６】
移動ストロークＡ＞ネジの開放ストロークに設定してあることから、長軸に露出した塗布軸部２２を容器本体１の口頸部２に差し込めば、蓋体１０をネジ締めしなくとも塗布体３０を容器の底部４に届かせることが可能である。したがって、塗布体３０への液補充をする度にいちいち蓋体１０をネジ締めする煩わしさがなくなり、簡便に化粧をすることができる。
【００２７】
また、化粧の際に、棒状塗布具２０を上向きにして使用した場合、余分に付着した液状化粧料が塗布軸部２２を伝わって蓋体１０の方向へ流れることがあるが、本実施の形態では、塗布軸部２２を転流する化粧液はフランジ部２１と環状壁２１ａとで構成される凹所２３ａにおいて留め受けられる。
【００２８】
したがって、塗布軸部２２を転流する化粧料が蓋体１０のねじ部内に入り込むことがなく、容器のねじ部における付着化粧料の固化に起因する蓋体１０の締め込み不足を防止する。
【００２９】
図４に示すマスカラ容器タイプの液状化粧料容器は、基本的には既述した第１の実施の形態であるマニキュア容器タイプのものと同一であるので、図において、第１の実施の形態と共通する部分は同一符号を付し、その説明を省略する。
【００３０】
同図に示すように、本実施の形態における液状化粧料容器は、容器本体１と、この容器本体１の口頸部２を嵌脱自在に閉蓋する蓋体１０と、この蓋体１０の中心に上下動可能に且つ抜け出し不能に装着された棒状塗布具２０とから構成され、容器本体１の口頸部２には、ゴムやエラストマーなど弾性材料で成形されたしごき栓３５が嵌着されている。このしごき栓３５は、略漏斗状の胴部３５ａと、胴部３５上端のフランジ部３５ｂと、胴部３５下端のしごき孔３５ｃとから構成されている。
【００３１】
また、棒状塗布具２０における操作軸部２２の先端部には指掛け台２４が設けられ、棒状塗布具２０における塗布軸部２３の先端にはマスカラ液の塗布に好適なブラシ状の塗布体３０が装着されている。
【００３２】
閉蓋時には、棒状塗布具２０のフランジ部２１下面に突設された環状壁２１ａがしごき栓３５に内嵌し、環状リブ２１ｂがしごき栓３５のフランジ部３５ｂ上面に当接することにより、容器は液密に保持される。
【００３３】
本実施の形態では、棒状塗布具２０の指掛け台２４が装飾になるとともに、指掛け台２４に指を掛けて操作をするので、しごき栓３５と塗布体３０との摩擦抵抗に抗し、指先を痛めることなく棒状塗布具２０の操作を容易にすることができる。
【図面の簡単な説明】
【００３４】
【図１】本発明の液状化粧料容器の第１の実施の形態を示す断面図。
【図２】図１の容器の主要部示す拡大断面図。
【図３】図１の容器の作動状態を示す断面図。
【図４】本発明の液状化粧料容器の第２の実施の形態を示す断面図。
【符号の説明】
【００３５】
１  容器本体，２  口頸部，３  雄ねじ，１０  蓋体，１１  周壁，１２  雌ねじ，１３  頂壁，１４  筒部，１５  ガイド孔，１６  段部，２０  棒状塗布具，２１ａ  環状壁，２２  操作軸部，２２ａ  ストッパ，２３  塗布軸部，３０  塗布体，
【図１】
2006167319.tif 000003
【図２】
2006167319.tif 000004
【図３】
2006167319.tif 000005
【図４】
2006167319.tif 000006